(57)【要約】【課題】衣服の掛け外しを容易にかつ効率的に行うことができ、さらに携帯に便利な衣服用ハンガーを提供する。【解決手段】アーム１０４、１０５には、それぞれ同一形状を有するラチェット車１１１、１１２が取り付けられている。これらのラチェット車１１１、１１２は、それぞれシャフト１１４、１１５によりベース部１０２に軸着され、互いに外接しかつ噛合するようになっている。また、ベース部１０２の内部にはクリック１２１が設けられている。そして、このクリック１２１は、アーム１０４、１０５が閉になるときにラチェット車１１２を係止し、アーム１０４、１０５が開になるときに係止状態を解放するようになっている。【選択図】        図２
2004261416.tif 000002
【特許請求の範囲】
【請求項１】
ロッドに吊り下げるためのフック部と、
該フック部が取り付けられたベース部と、
該ベース部に対し、一対として配設された第１のアーム及び第２のアームと、
該第１のアームの前記ベース部側の端部に取り付けられ、かつ前記ベース部に軸着された第１のラチェット車と、
前記第２のアームの前記ベース部側の端部に取り付けられ、かつ前記ベース部に軸着された第２のラチェット車と、
前記第１のラチェット車及び前記第２のラチェット車を対称に回動させる対称回動手段と、
前記第１のラチェット車及び／又は前記第２のラチェット車を係止又は解放する係止／解放手段とを備えたことを特徴とする衣服用ハンガー。
【請求項２】
前記係止／解放手段は、
前記第１のアーム及び前記第２のアームが閉となる向きに対して、前記第１のラチェット車及び／又は前記第２のラチェット車を係止することを特徴とする請求項１記載の衣服用ハンガー。
【請求項３】
前記係止／解放手段は、
前記ベース部に一端が軸着されたクリックと、
該クリックの他端に設けられ、かつ前記第１のラチェット車及び／又は前記第２のラチェット車を係止可能な形状を有するツメと、
該ツメにより係止される前記第１のラチェット車及び／又は前記第２のラチェット車の向きに、前記クリックを付勢する弾性体と、
該弾性体がクリックを付勢する向きに対し、該付勢の向きと逆向きに前記クリックを操作するための操作部材とを備えたことを特徴とする請求項１又は請求項２記載の衣服用ハンガー。
【請求項４】
前記第１のアーム及び前記第２のアームは伸縮自在であることを特徴とする請求項１、２又は３記載の衣服用ハンガー。
【請求項５】
前記第１のアーム及び前記第２のアームは、下方垂直位置から上方垂直位置までの範囲に回動自在であることを特徴とする請求項１〜４のいずれか１項に記載の衣服用ハンガー。
【請求項６】
前記フック部は、前記ベース部に対して回動自在であることを特徴とする請求項１〜５のいずれか１項に記載の衣服用ハンガー。
【発明の詳細な説明】
【０００１】
【発明の属する技術分野】
本発明は衣服用ハンガーに係わり、特に、衣服の掛け外しを容易にかつ効率的に行うことができ、さらに携帯に便利な衣服用ハンガーに関する。
【０００２】
【従来の技術】
一般に、通常の衣服用ハンガーは、物干し竿や物干しロープ等のロッドに吊り下げるためのフック部と、このフック部に固定され、衣服を支持するためのアームとから構成されている。
そして、このような衣服用ハンガーに衣服（例えば、Ｔシャツやトレーナー等）を掛ける際は、通常、衣服の胴側の開口部から衣服用ハンガーを挿入する。
【０００３】
しかし、この際、一度衣服を逆さ等にしなければならず、作業が面倒であった。一方、この面倒を避けるために、衣服用ハンガーを衣服の首側の開口部から出し入れしようとすれば、この部分が伸びてしまい衣服を傷めてしまうおそれがあった。
【０００４】
そのため、衣服を傷めずに首側からの衣服用ハンガーの出し入れを可能にすべく、特許文献１に示すようなアームが回動自在である衣服用ハンガーが知られている。
【０００５】
【特許文献１】
特開平７−２９９２９１号公報
【０００６】
この特許文献１に示される衣服用ハンガーの構成図（ベース部の一部を切断）を図５に示す。
図５において、衣服用ハンガー１０は、ベース部２にフック部１が取り付けられている。そして、このベース部２の内部には、左右のアーム４、５（一部省略する）が挿入されており、それぞれのベース部２側の端部付近がシャフト３を介して軸着されている。また、それぞれのアーム４、５は、水平位置（図中左右方向）から下方垂直位置（図中下方向）まで、約９０度の範囲に回動自在となっている。
【０００７】
さらに、アーム４、５がシャフト３により軸着される部分には、ラチェット機構６が設けられている。そして、このラチェット機構６は、シャフト３の頭部を押し込んだ状態でアーム４、５が回動可能になり、また、これを外すとアーム４、５にラッチがかかってアーム４、５を固定するようになっている。
【０００８】
また、衣服用ハンガー１０のアーム４、５の下面には、リンク部７が設けられている。このリンク部７は、２本のリンクアーム７ａを有するとともに、それぞれのリンクアーム７ａの一端がアーム４、５に軸着され、その他端が共通に調節ノブ７ｃに取り付けられている。そして、この調節ノブ７ｃは、ベース部２の下面に取り付けられたガイドレール７ｂを介して、垂直方向に摺動可能となっている。
【０００９】
かかる構成において、衣服用ハンガー１０に衣服を掛けて使用する際には、アーム４、５を下方垂直位置まで回動させ、衣服用ハンガー１０を衣服の首側から挿入する。そして、この状態でアーム４、５を衣服の両方の袖に挿入して、シャフト３の頭部を押し込みつつ、アーム４、５を図５に示す位置（以下、「ハ」の字位置という）まで回動させる。
【００１０】
この際、アーム４、５にはリンク部７が設けられているため、それぞれのアーム４、５は互いに連動して回動する。そして、アーム４、５を適当な場所まで回動させた後に、シャフト３の頭部を離してラチェット機構６を固定させることにより、アーム４、５がその場所に固定される。
【００１１】
一方、衣服用ハンガー１０から衣服を外す際は、衣服を掛けた状態で、シャフト３の頭部を押し込む。すると、アーム４、５は、衣服自身の重みにより、下方垂直位置まで回動する。そのため、衣服の袖からアーム４、５が自然に外れ、衣服用ハンガー１０からも衣服が外れる。
【００１２】
このように、衣服用ハンガー１０は、シャフト３、ラチェット機構６等を備えているため、アーム４、５を適当な場所で固定させることができ、通常の衣服用ハンガー（すなわち、フック部やアーム等からなり、シャフト３、ラチェット機構６等を備えない衣服用ハンガー）と同様に使用することができる。
【００１３】
また、衣服用ハンガー１０のアーム４、５は、回動自在であるため、衣服用ハンガー１０の衣服への掛け外しを容易に行うことができる。
さらに、衣服用ハンガー１０のアーム４、５にはリンク部７が設けられているため、アーム４、５の回動を容易に行うことができる。
【００１４】
【発明が解決しようとする課題】
しかしながら、特許文献１に示す衣服用ハンガー１０は、そのラチェット機構６がシャフト３の頭部を押し込まれた状態で回動可能となる構造であるため、衣服を掛ける際に、常に一方の手でシャフト３を押し、もう一方の手でアーム４、５を把持する必要があった。そのため、アーム４、５を回動させる際に両手が不自由となって、同時に他の作業（例えば、衣服のしわを伸ばす作業等）ができず、かえって作業の効率を悪化させるおそれがあった。
【００１５】
また、特許文献１に示す衣服用ハンガー１０は、アーム４、５に設けられたリンク部７のために、アーム４、５は水平位置から下方垂直位置まで（すなわち、約９０度の範囲）しか回動し得ない。そのため、衣服用ハンガー１０を最も小さく折り畳んだとしても（すなわち、アーム４、５を下方垂直位置に回動させても）、フック部１の長さとアーム４、５の長さの和の大きさが必要であった。
【００１６】
加えて、衣服用ハンガー１０には、リンク部７が設けられているため、衣服用ハンガー１０自体のサイズが大きくなるおそれがあった。従って、このような衣服用ハンガー１０を携帯するのは不便であった。
【００１７】
本発明はこのような従来の課題に鑑みてなされたもので、衣服の掛け外しを容易にかつ効率的に行うことができ、さらに携帯に便利な衣服用ハンガーを提供することを目的とする。
【００１８】
【課題を解決するための手段】
このため本発明は、ロッドに吊り下げるためのフック部と、該フック部が取り付けられたベース部と、該ベース部に対し、一対として配設された第１のアーム及び第２のアームと、該第１のアームの前記ベース部側の端部に取り付けられ、かつ前記ベース部に軸着された第１のラチェット車と、前記第２のアームの前記ベース部側の端部に取り付けられ、かつ前記ベース部に軸着された第２のラチェット車と、前記第１のラチェット車及び前記第２のラチェット車を対称に回動させる対称回動手段と、前記第１のラチェット車及び／又は前記第２のラチェット車を係止又は解放する係止／解放手段とを備えて構成した。
【００１９】
第１のラチェット車及び第２のラチェット車は対称回動手段により、対称に回動する。そのため、一方のアームを回動させることで、これに連動してもう一方のアームも、同じ開き具合で回動するようになる。
このことにより、従来の衣服用ハンガーが有していたリンク部のように大きな部材が不要であるため、衣服用ハンガー自体の小型化が可能である。
なお、第１のラチェット車及び第２のラチェット車を対称に回動させるためには、例えば、第１のラチェット車及び第２のラチェット車をそれぞれ同一形状とし、互いに外接しかつ噛合するように構成すれば良い。
【００２０】
また、本発明は、前記係止／解放手段は、前記第１のアーム及び前記第２のアームが閉となる向きに対して、前記第１のラチェット車及び／又は前記第２のラチェット車を係止することを特徴とする。
【００２１】
衣服用ハンガーに衣服を掛ける際には、衣服用ハンガーを衣服の首側から衣服内に挿入する。そして、第１のアーム及び第２のアームのそれぞれを衣服の袖に挿入し、いずれか一方のアームを衣服越しに外側から把持しつつ、これを開とする。このとき、係止／解放手段は、第１のラチェット車及び／又は第２のラチェット車を係止するものではないため、第１のアーム及び第２のアームを適当な位置まで回動させることができる。
【００２２】
また、衣服用ハンガーに衣服を掛けた状態では、衣服の重みにより第１のアーム及び第２のアームは閉になろうとする。しかし、係止／解放手段により、第１のラチェット車及び／又は第２のラチェット車は係止される。そのため、実際に第１のアーム及び第２のアームは回動せず、その場所に固定される。このことにより、通常の衣服用ハンガーと同様に、衣服を掛けて使用することができる。また、衣服の形状（なで肩に合わせた衣服やいかり肩に合わせた衣服等の形状）に合わせて、第１のアーム及び第２のアームを固定することができるので、衣服の型崩れを防止することができる。
【００２３】
そして特に、衣服用ハンガーは、係止／解放手段により解放されない限り、第１のアーム及び第２のアームは閉とならないため、一方の手でアームを把持するだけで、第１のアーム及び第２のアームを容易に開とすることができる。従って、衣服を掛ける際に、もう一方の手で同時に他の作業（例えば、衣服のしわを伸ばす作業等）を行うことができ、作業を効率的に進めることができる。
【００２４】
一方、衣服用ハンガーから衣服を外す際には、係止／解放手段による第１のラチェット車及び／又は第２のラチェット車の係止状態を解放する。これにより、第１のラチェット車及び／又は第２のラチェット車は、第１のアーム及び第２のアームが閉となる向きに対して回動可能となる。従って、第１のアーム及び第２のアームは、衣服の重みによって閉となり、衣服用ハンガーから自然に衣服が外れる。このことにより、衣服用ハンガーへの衣服の掛け外しを容易に行うことができる。
【００２５】
さらに、本発明は、前記係止／解放手段は、前記ベース部に一端が軸着されたクリックと、該クリックの他端に設けられ、かつ前記第１のラチェット車及び／又は前記第２のラチェット車を係止可能な形状を有するツメと、該ツメにより係止される前記第１のラチェット車及び／又は前記第２のラチェット車の向きに、前記クリックを付勢する弾性体と、該弾性体がクリックを付勢する向きに対し、該付勢の向きと逆向きに前記クリックを操作するための操作部材とを備えて構成した。
【００２６】
このことにより、クリックが、第１のラチェット車及び／又は第２のラチェット車から解放されても、弾性体により、すぐさま、係止可能な状態に戻る。従って、第１のアーム及び第２のアームを固定することができる。
なお、操作部材としては、クリックに取り付けられたハンドルであっても良い。この場合、ベース部には、クリックの揺動の向きに沿いつつ、このハンドルを案内可能な穴を設けることが望ましい。これにより、ベース部の外部からでもクリックを操作することができる。
また、操作部材としては、ハンドルの代わりに、先端部にテーパーを有するボタン等であっても良い。この場合、このボタン等の先端部をクリックに対し接触可能に構成する。そして、このボタン等を押すことで先端部のテーパーによりクリックを揺動させることができる。
【００２７】
さらに、本発明は、前記第１のアーム及び前記第２のアームは伸縮自在であることを特徴とする。
【００２８】
このことにより、衣服用ハンガーに衣服を掛けて使用する際には、第１のアーム及び第２のアームを伸ばして、衣服の種類に合わせて第１のアーム及び第２のアームの長さを変えることができる。
一方、衣服用ハンガーを携帯する際には、第１のアーム及び第２のアームを縮めて、第１のアーム及び第２のアームを短くすることができる。従って、衣服用ハンガーを携帯し易くすることができる。
【００２９】
さらに、本発明は、前記第１のアーム及び前記第２のアームは、下方垂直位置から上方垂直位置までの範囲に回動自在であることを特徴とする。
【００３０】
このことにより、第１のアーム及び第２のアームを上方垂直位置まで回動させて、衣服用ハンガーを小さく折り畳むことができる。
【００３１】
さらに、本発明は、前記フック部は、前記ベース部に対して回動自在であることを特徴とする。
【００３２】
このことにより、フック部を含めて、衣服用ハンガーを小さく折り畳むことができる。従って、衣服用ハンガーを携帯し易くすることができる。
【００３３】
【発明の実施の形態】
以下、本発明の実施形態について説明する。
本発明の実施形態である衣服用ハンガーの斜視図を図１に、この衣服用ハンガーの構成図（ベース部の一部を切断）を図２に示す。なお、図５と同一要素のものについては同一符号を付して説明は省略する。
【００３４】
図１、図２において、ベース部１０２の２枚の長方形の板状部材１０２ａ、１０２ｂは、その上部に設けられた接合部材１０２ｃを介して互いに接合されている。そして、この接合部材１０２ｃには、フック部１０１が軸着されており、フック部１０１はベース部１０２に対して回動自在となっている。なお、板状部材１０２ａ、１０２ｂの形状は、長方形である場合に限られず、三角形、丸形等であっても良い。
【００３５】
また、板状部材１０２ａの中程には、穴１０２ｄが設けられている。そして、この穴１０２ｄは、ベース部１０２の外部から（後述する）クリック１２１によるラチェット車１１２の係止状態を解放すべく、クリック１２１の揺動の向きに沿いつつ、ハンドル１２１ｂを案内可能となっている。なお、この穴１０２ｄは、板状部材１０２ａ側だけでなく、紙面裏側の板状部材１０２ｂ側のみ、あるいは板状部材１０２ａ、１０２ｂの両側に設けられていても良い（図示略）。
【００３６】
これに加え、ベース部１０２の内部には、左右のアーム１０４、１０５が挿入されている。そして、これらのアーム１０４、１０５には、延長アーム１０４ａ、１０５ａがそれぞれ収納されており、ベース部１０２と反対側の端部から１段階以上（図中２段階とする）にわたって、延長アーム１０４ａ、１０５ａを引き出し可能となっている。
【００３７】
そして、延長アーム１０４ａ、１０５ａを引き出すことにより、アーム１０４、１０５自体の長さが延長可能となっている。なお、アーム１０４、１０５の内周側には、延長アーム１０４ａ、１０５ａを引き出したときに、これ自身が落脱しないようにパッキン等が設けられることが望ましい（図示略）。また、延長アーム１０４ａ、１０５ａを引き出し易いように、これらの先端には突起１０４ｂ、１０５ｂが設けられることが望ましい。
【００３８】
さらに、アーム１０４、１０５のベース部１０２側の端部には、それぞれ同一形状を有するラチェット車１１１、１１２が取り付けられている。そして、これらのラチェット車１１１、１１２は、それぞれシャフト１１４、１１５によりベース部１０２の板状部材１０２ａ、１０２ｂ間に軸着されるとともに、互いに外接しかつ噛合するようになっている。
【００３９】
また、これらのアーム１０４、１０５には、従来の衣服用ハンガー１０のようにリンク部７が設けられていないため、アーム１０４、１０５は、下方垂直位置から上方垂直位置まで約１８０度の範囲に回動自在となっている。
【００４０】
なお、ラチェット車１１１、１１２を軸着させる際には、予めアーム１０４、１０５がほぼ同じ開き具合になるように、ラチェット車１１１、１１２の噛み合わせを調節することが望ましい。また、シャフト１１４、１１５を軸着させる位置に関しては、ロッドにフック部１０１を吊り下げた場合に衣服用ハンガー１００自体のバランスが保たれるように、フック部１０１の取り付け位置に対して左右対称に配置されることが望ましい。
【００４１】
さらに、ベース部１０２の内部には、略棒状のクリック１２１が設けられている。そして、このクリック１２１の棒部１２１ａの一端は、シャフト１２６によりベース部１０２に軸着されており、ベース部１０２に対して揺動可能となっている。
【００４２】
なお、シャフト１２６を軸着させる位置に関しては、アーム１０４、１０５が約１８０度の範囲に回動することを考慮して、フック部１０１の取り付け位置のおよそ下方に位置することが望ましい。また、棒部１２１ａの長さに関しては、後述するツメ１２１ｃがラチェット車１１２を係止できるような長さを有していることが望ましい。
【００４３】
さらに、クリック１２１の棒部１２１ａには、ハンドル１２１ｂが取り付けられている。そして、このハンドル１２１ｂは、ベース部１０２の穴１０２ｄを介して操作可能な位置に取り付けられるとともに、ハンドル１２１ｂを操作し易いように、板状部材１０２ａ等の厚みよりも適当に突出するようになっている。
【００４４】
さらに、クリック１２１の棒部１２１ａの他端には、ラチェット車１１２の図中時計回りの回動に対して、これを係止可能な形状を有するツメ１２１ｃが設けられている。
そして、このツメ１２１ｃには、棒部１２１ａの長手方向に対して垂直な底面１２１ｄが形成されるとともに、この底面１２１ｄは、ラチェット車１１２が時計回りに回動するときに、その進行方向側の面１１２ｂと略平行に接触するようになっている。
【００４５】
そのため、ラチェット車１１２が時計回りに回動しようとするときには、クリック１２１に対し、底面１２１ｄを介して主に棒部１２１ａの長手方向への力が作用し、その揺動方向（図中左右方向）への力が作用し難くなっている。従って、この場合（ラチェット車１１２が時計回りに回動しようとするとき）には、クリック１２１のツメ１２１ｃはラチェット車１１２の歯１１２ａにかかって、ラチェット車１１２が係止されるようになっている（以下、この状態を係止状態という）。
【００４６】
また、ツメ１２１ｃには、その底面１２１ｄの反対側にテーパー面１２１ｅが形成されている。そして、このテーパー面１２１ｅは、ラチェット車１１２が反時計回りに回動するときに、その進行方向側の面１１２ｃと略平行に接触するようになっている。
【００４７】
そのため、ラチェット車１１２が反時計回りに回動するときには、クリック１２１に対し、テーパー面１２１ｅを介して主にその揺動方向左側（後述するバネ１２２の付勢の向きと逆向き）への力が作用するようになっている。従って、この場合（ラチェット車１１２が反時計回りに回動するとき）には、ツメ１２１ｃが面１１２ｃに押されてラチェット車１１２の係止状態が解放され、ラチェット車１１２が回動するようになっている。
【００４８】
さらに、クリック１２１の棒部１２１ａの中程には、バネ１２２の一端が取り付けられている。そして、このバネ１２２は、クリック１２１をその揺動方向右側（すなわち、ラチェット車１１２側）に向けて付勢するようになっており、このバネ１２２の他端は、固定部材１２３によりベース部１０２に固定されている。
【００４９】
そのため、ラチェット車１１２が反時計回りに回動してツメ１２１ｃが歯１１２ａから解放されても、すぐさま、クリック１２１をラチェット車１１２側に引き戻し、再びラチェット車１１２を（時計回りへの回動に対して）係止するようになっている。
なお、クリック１２１をラチェット車１１２側に付勢するための部材としては、バネ１２２の代わりに、弾力を有するピン等の弾性体であっても良い。
【００５０】
かかる構成において、衣服用ハンガー１００に衣服を掛けて使用する際には、アーム１０４、１０５からそれぞれ延長アーム１０４ａ、１０５ａを引き出して、アーム１０４、１０５の長さを衣服に合わせて調節する。そして、アーム１０４、１０５を下方垂直位置まで回動させて（この説明は後述する）、衣服用ハンガー１００を衣服の首側から衣服内に挿入する。
【００５１】
その後、この状態でアーム１０４、１０５をそれぞれ衣服の袖に挿入し、アーム１０４、１０５のいずれか一方（例えば、アーム１０５とする）を衣服越しに外側から把持しつつ、アーム１０４、１０５を下方垂直位置から図２に示す「ハ」の字位置まで回動させる（以下、この向きの回動を開という）。
【００５２】
すなわち、アーム１０５が開となる場合には、ラチェット車１１２は反時計回りに回動しようとするため、クリック１２１はラチェット車１１２に押されて、ツメ１２１ｃが歯１１２ａから解放される。従って、ラチェット車１１２の係止状態は解けてラチェット車１１２は反時計回りに回動し、アーム１０５も「ハ」の字位置まで回動する。
【００５３】
また、ラチェット車１１１、１１２はそれぞれ同一形状であり、互いに外接しかつ噛合するようになっているため、一方のアーム１０５が開となることで、これに連動してもう一方のアーム１０４も、同じ開き具合で開となる。
【００５４】
一方、アーム１０４、１０５が「ハ」の字位置付近まで回動すると、衣服の重みにより、アーム１０４、１０５は「ハ」の字位置から下方垂直位置へ回動しようとする（以下、この向きの回動を閉という）。
【００５５】
そして、アーム１０５が閉となる場合には、ラチェット車１１２は時計回りに回動しようとするが、ツメ１２１ｃは（開とする動作中に）歯１１２ａから解放されても、すぐさま、バネ１２２によりクリック１２１はラチェット車１１２側に引き戻される。従って、ラチェット車１１２はクリック１２１により係止され、実際には時計回りに回動しない。そのため、アーム１０５もその位置で固定され、閉とはならない。
【００５６】
また、ラチェット車１１１、１１２は互いに外接しかつ噛合するようになっているため、一方のアーム１０５が固定されることで、もう一方のアーム１０４も固定される。
【００５７】
これに対し、衣服用ハンガー１００から衣服を外す際は、衣服を掛けた状態で、ハンドル１２１ｂを操作して、クリック１２１による係止状態を解放する。すなわち、クリック１２１を揺動方向左側（すなわち、バネ１２２の付勢の向きと逆向き）に揺動させる。
【００５８】
そして、この操作により、クリック１２１がラチェット車１１２から解放されると、ラチェット車１１２が時計回りに回動可能な状態となる。そのため、アーム１０４、１０５は、衣服自身の重みによって閉となり、図３に示すような下方垂直位置まで回動する。
【００５９】
このとき、ラチェット車１１１、１１２は互いに外接しかつ噛合するようになっているため、一方のアーム１０５が回動することで、これに連動してもう一方のアーム１０４も下方垂直位置まで回動する。従って、衣服の袖からアーム１０４、１０５が自然に外れ、衣服用ハンガー１００からも衣服が外れるようになる。
【００６０】
このように、衣服用ハンガー１００は、ラチェット車１１１、１１２やクリック１２１等を備えているため、アーム１０４、１０５を適当な場所で固定させることができる。従って、通常の衣服用ハンガーと同様に、衣服を掛けて使用することができる。そして、衣服の形状（なで肩に合わせた衣服やいかり肩に合わせた衣服等の形状）に合わせて、アーム１０４、１０５を固定することができるので、衣服の型崩れを防止することができる。また、アーム１０４、１０５は回動自在であるため、衣服用ハンガー１００の衣服への掛け外しを容易に行うことができる。
【００６１】
さらに、アーム１０４、１０５は、ラチェット車１１１、１１２により互いに連動する構成であるため、アーム１０４、１０５の回動を容易に行うことができる。また、従来の衣服用ハンガー１０のリンク部７のように大きな部材が不要であるため、衣服用ハンガー１００自体の小型化も可能である。
【００６２】
そして特に、衣服用ハンガー１００は、クリック１２１を操作しない限り、アーム１０４、１０５は（開とするのは自由であるが）閉とならない構成であるため、アーム１０５を一方の手で把持するだけで、容易にアーム１０４、１０５を開とすることができる。従って、衣服を掛ける際に、もう一方の手で同時に他の作業（例えば、衣服のしわを伸ばす作業等）を行うことができ、作業を効率的に進めることができる。
【００６３】
次に、衣服用ハンガー１００を携帯する際には、アーム１０４、１０５の延長アーム１０４ａ、１０５ａをアーム１０４、１０５の内部に収納する。また、フック部１０１を（アーム１０４、１０５が上方垂直位置まで開となった場合に邪魔にならないように）図２の状態から、図４のようにいずれかの方向に約９０度回動させる。
【００６４】
その後、アーム１０４、１０５のいずれか一方を把持して、アーム１０４、１０５を下方垂直位置から図４に示す上方垂直位置まで回動させる。ここに、アーム１０４、１０５には、従来の衣服用ハンガー１０のようにリンク部７が設けられていないため、アーム１０４、１０５は、下方垂直位置から上方垂直位置まで約１８０度の範囲に回動自在である。そして、アーム１０４、１０５を開とする動作は、衣服用ハンガー１００に衣服を掛ける際に行った動作と同様である（説明は省略する）。
【００６５】
また、アーム１０４、１０５を上方垂直位置まで回動させた状態では、クリック１２１を操作しない限りアーム１０４、１０５は閉とならない構成であるため、衣服用ハンガー１００の携帯の途中にアーム１０４、１０５が（閉の向きに）動いたりすることはない。
【００６６】
このことにより、衣服用ハンガー１００の携帯の際に衣服用ハンガー１００が占める大きさは、およそ（延長アーム１０４ａ、１０５ａを収納した状態の）アーム１０４、１０５の大きさのみとなる。従って、衣服用ハンガー１００を小さく折り畳むことができ、衣服用ハンガー１００を携帯し易くすることができる。
【００６７】
なお、以上のような衣服用ハンガー１００は、その携帯性を考慮して、全ての部材がプラスティック等で構成されることが望ましい。これにより、軽量化が図れ、より一層、衣服用ハンガー１００を携帯し易くすることができる。もちろん、アーム１０４、１０５やクリック１２１、ラチェット車１１１、１１２の耐久性を考慮して、全体がアルミあるいは鉄等の金属で構成されても良い。
【００６８】
また、クリック１２１は、ラチェット車１１２側を係止するとして説明してきたが、これに限られず、ラチェット車１１１側を係止するように構成しても良い。この場合には、バネ１２２によりクリック１２１をラチェット車１１１側に付勢するように構成すれば良い。
【００６９】
さらに、クリック１２１は、そのハンドル１２１ｂの操作により揺動されるものとして説明してきたが、これに限られない。例えば、ハンドル１２１ｂの代わりに先端部にテーパーを有するボタン等を備え、このボタンの先端部をクリック１２１に対し接触可能に構成する。そして、このボタン等を押すことで先端部のテーパーによりクリック１２１を揺動させるようにしても良い（図示略）。
【００７０】
【発明の効果】
以上説明したように本発明によれば、第１のアームが取り付けられた第１のラチェット車と第２のアームが取り付けられた第２のラチェット車とをベース部に軸着し、第１のラチェット車及び第２のラチェット車を対称に回動させる対称回動手段を備え、さらに第１のラチェット車及び／又は第２のラチェット車を係止又は解放する係止／解放手段を備えて構成したので、衣服用ハンガーの衣服の掛け外しを容易にかつ効率的に行うことができる。
【００７１】
また、第１のアーム及び第２のアームを下方垂直位置から上方垂直位置までの範囲に回動自在にし、かつ第１のアーム及び第２のアームを伸縮自在に構成したので、衣服用ハンガーを小さく折り畳むことができ、携帯し易くすることができる。さらに、衣服の形状（なで肩に合わせた衣服やいかり肩に合わせた衣服等の形状）に合わせて、第１のアーム及び第２のアームを回動、伸縮させ、固定することができるので、衣服の型崩れを防止することができる。
【図面の簡単な説明】
【図１】本発明の実施形態である衣服用ハンガーの斜視図
【図２】本発明の実施形態である衣服用ハンガーの構成図（「ハ」の字位置）
【図３】同上（下方垂直位置）
【図４】同上（上方垂直位置）
【図５】従来の衣服用ハンガーの構成図
【符号の説明】
１、１０１  フック部
２、１０２  ベース部
３、１１４、１１５、１２６  シャフト
４、５、１０４、１０５  アーム
１０、１００  衣服用ハンガー
１０４ａ、１０５ａ  延長アーム
１１１、１１２  ラチェット車
１２１  クリック
１２１ｂ  ハンドル
１２１ｃ  ツメ
１２２  バネ
【図１】
2004261416.tif 000003
【図２】
2004261416.tif 000004
【図３】
2004261416.tif 000005
【図４】
2004261416.tif 000006
【図５】
2004261416.tif 000007